【手続補正書】
【提出日】平成21年3月10日(2009.3.10)
【手続補正１】
【補正対象書類名】特許請求の範囲
【補正対象項目名】全文
【補正方法】変更
【補正の内容】
【特許請求の範囲】
【請求項１】
大径ボールと小径ボールとを一括して被搭載体の所定位置に搭載するための異径ボール搭載用治具であって、
前記大径ボールと小径ボールを保持するための有底の大径ボール用凹部と小径ボール用凹部とが形成された治具本体と、治具本体に当接され貫通孔を介して前記大径ボールと小径ボールとを前記大径ボール用凹部と小径ボール用凹部とに振込むマスクとを備え、
前記大径ボール用凹部及び小径ボール用凹部は、一括搭載すべき前記大径ボールと小径ボールの配列と直径に合わせて形成されるとともに、保持された前記大径ボールと小径ボールの頂部が同一高さになるように前記大径ボールと小径ボールの直径に合わせた深さに形成されている
ことを特徴とする異径ボール搭載用治具。
【請求項２】
前記大径ボール用凹部及び小径ボール用凹部は、保持された前記大径ボールと小径ボールの頂部が前記治具本体表面より突出する深さに形成されている請求項１記載の異径ボール搭載用治具。
【請求項３】
前記マスクの厚さは、前記大径ボール用凹部及び小径ボール用凹部に保持された前記大径ボールと小径ボールの前記治具本体表面からの突出寸法と略同一寸法である請求項２記載の異径ボール搭載用治具。
【請求項４】
前記マスクは、前記大径ボール用凹部の配置パターンに対応し大径ボールが挿通可能な貫通孔が形成された大径ボール用マスクと前記小径ボール用凹部の配置パターンに対応し前記小径ボールが挿通可能な貫通孔が形成された小径ボール用マスクとで構成され、更に前記大径ボール用マスクには、前記冶具本体に当接されたときに前記小径ボール用凹部の配置パターンに対応し前記小径ボールが接触しない逃げ孔が形成されている請求項１乃至３いずれかに記載の異径ボール搭載用治具。
【請求項５】
請求項４に記載の異径ボール搭載用治具であって、さらに、前記大径ボール用マスクの上に配設されて、前記逃げ孔を塞ぐ薄板状の蓋を備えていることを特徴とする異径ボール搭載用治具。
【請求項６】
前記治具本体には、保持した大径ボール及び小径ボールを被搭載体に搭載する際に、大径ボール及び小径ボールを被搭載体に押付ける押付け手段が配設されている請求項１乃至５のいずれかに記載の異径ボール搭載用治具。
【請求項７】
大径ボールと小径ボールとを一括して被搭載体の所定位置に搭載するための異径ボール搭載方法であって、
小径ボールを小径ボール用マスクを用いて治具本体の小径ボール用凹部に振込んだ後、大径ボールを大径ボール用マスクを用いて冶具本体の大径ボール用凹部に振り込む振込み工程と、治具本体の小径ボール用凹部と大径ボール用凹部に保持された小径ボール及び大径ボールと被搭載体の対応する被搭載部とを当接する工程と、治具本体と被搭載体を分離して治具本体に保持されていた小径ボールと大径ボールとを被搭載体に一括して転写する工程と、
を有することを特徴とする異径ボール搭載方法。
【請求項８】
前記振込み工程の前に、治具本体の大径ボール用凹部及び小径ボール用凹部に仮固定剤を塗布する工程を有する請求項７記載の異径ボール搭載方法。
【手続補正２】
【補正対象書類名】明細書
【補正対象項目名】０００８
【補正方法】変更
【補正の内容】
【０００８】
本発明者は、マスクを用いた振込み方式による微小ボールの供給について長年研究開発を行ない、対象とするボールの直径とマスクの厚さ及び貫通孔の関係について知見を得、特許出願も行なっている。本発明はその知見をふまえてなしたものである。
本発明の異径ボール搭載用治具は、大径ボールと小径ボールとを一括して被搭載体の所定位置に搭載するための異径ボール搭載用治具であって、前記大径ボールと小径ボールを保持するための有底の大径ボール用凹部と小径ボール用凹部とが形成された治具本体と、治具本体に当接され貫通孔を介して前記大径ボールと小径ボールとを前記大径ボール用凹部と小径ボール用凹部とに振込むマスクとを備え、前記大径ボール用凹部及び小径ボール用凹部は、一括搭載すべき前記大径ボールと小径ボールの配列と直径に合わせて形成されるとともに、保持された前記大径ボールと小径ボールの頂部が同一高さになるように前記大径ボールと小径ボールの直径に合わせた深さに形成されていることを特徴としている。本発明の異径ボール搭載用治具は、保持した大径ボール及び小径ボールを被搭載体に当接して転写、搭載するもので、前記大径ボール用及び小径ボール用凹部及び貫通孔は対応する被搭載部のパターンと裏表が逆のパターンになるように形成される。
【手続補正３】
【補正対象書類名】明細書
【補正対象項目名】０００９
【補正方法】変更
【補正の内容】
【０００９】
前記本発明において、前記大径ボール用凹部及び小径ボール用凹部は、保持された前記大径ボールと小径ボールの頂部が前記治具本体表面より突出する深さに形成されていることを特徴としている。
また、前記本発明において、前記マスクの厚さは、前記大径ボール用凹部及び小径ボール用凹部に保持された前記大径ボールと小径ボールの前記治具本体表面からの突出寸法と略同一寸法であることが望ましい。前記大径ボール用凹部及び小径ボール用凹部において、直径が最小のボールを保持する小径ボール用凹部を、保持された最小ボールの上半球以上が突出するように浅く形成すると、その分マスク厚さを大きくすることができて好ましい。
また、前記本発明において、前記マスクは、前記大径ボール用凹部の配置パターンに対応し大径ボールが挿通可能な貫通孔が形成された大径ボール用マスクと前記小径ボール用凹部の配置パターンに対応し前記小径ボールが挿通可能な貫通孔が形成された小径ボール用マスクとで構成され、更に前記大径ボール用マスクには、前記冶具本体に当接されたときに前記小径ボール用凹部の配置パターンに対応し前記小径ボールが接触しない逃げ孔が形成された構成とすることができる。
【手続補正４】
【補正対象書類名】明細書
【補正対象項目名】００１０
【補正方法】変更
【補正の内容】
【００１０】
また、前記本発明において、さらに、前記大径ボール用マスクの上に配設されて、前記逃げ孔を塞ぐ薄板状の蓋を備えているようにしてもよい。
また、前記本発明において、前記治具本体には、保持した大径ボール及び小径ボールを被搭載体に搭載する際に、大径ボール及び小径ボールを被搭載体に押付ける押付け手段が配設されているようにしてもよい。これにより、大径ボールを被搭載部に確実に当接することができる。押付け力として磁力を用いることができ、治具本体の反凹部形成面に磁性部材を固着するとともに、ボール転写時に、被搭載体を挟んでマグネットが配置されるような装置構成とするとよい。この場合、治具本体は非磁性材料で形成される。
【手続補正５】
【補正対象書類名】明細書
【補正対象項目名】００１１
【補正方法】変更
【補正の内容】
【００１１】
また、本発明の異径ボール搭載方法は、大径ボールと小径ボールとを一括して被搭載体の所定位置に搭載するための異径ボール搭載方法であって、小径ボールを小径ボール用マスクを用いて治具本体の小径ボール用凹部に振込んだ後、大径ボールを大径ボール用マスクを用いて冶具本体の大径ボール用凹部に振り込む振込み工程と、治具本体の小径ボール用凹部と大径ボール用凹部に保持された小径ボール及び大径ボールと被搭載体の対応する被搭載部とを当接する工程と、治具本体と被搭載体を分離して治具本体に保持されていた小径ボールと大径ボールとを被搭載体に一括して転写する工程と、を有することを特徴としている。
また、本発明の異径ボール搭載方法は、前記振込み工程の前に、治具本体の大径ボール用凹部及び小径ボール用凹部に仮固定剤を塗布する工程を有することが好ましい。これにより、振込まれた大径ボール及び小径ボールが離脱することを防止することができる。